(57)【要約】【課題】バッテリに対する取付状態を容易に確認することができるバッテリ監視ユニットを提供する。【解決手段】バッテリ２の状態を監視するバッテリ監視ユニット１であって、バッテリ２に取り付けられる支持部材１４と、支持部材１４におけるバッテリ２との取付面に配置され、バッテリ２における所定の被接触部２０ｓと接触する接触部材４０と、接触部材４０を支持し、支持部材１４に対して移動可能に支持部材１４に支持された可動部材１４０と、支持部材１４における上記取付面とは反対側の面に露出する露出部を有する露出部材１４３であって、接触部材４０が被接触部２０ｓから力を受けることで可動部材１４０が支持部材１４に対して移動すると、露出部の上記反対側の面における露出量が大きくなるように構成された露出部材１４３と、を備える。【選択図】図３
2020087691.tif 000002
【特許請求の範囲】
【請求項１】
バッテリの状態を監視するバッテリ監視ユニットであって、
バッテリに取り付けられる支持部材と、
前記支持部材における前記バッテリとの取付面に配置され、前記バッテリにおける所定の被接触部と接触する接触部材と、
前記接触部材を支持し、前記支持部材に対して移動可能に前記支持部材に支持された可動部材と、
前記支持部材における前記取付面とは反対側の面に露出する露出部を有する露出部材であって、前記接触部材が前記被接触部から力を受けることで前記可動部材が前記支持部材に対して移動すると、前記露出部の前記反対側の面における露出量が大きくなるように構成された露出部材と、
を備えることを特徴とするバッテリ監視ユニット。
【請求項２】
バッテリにおける測温部としての前記被接触部の温度を、前記接触部材を介して検知する温度検知素子をさらに備えることを特徴とする請求項１に記載のバッテリ監視ユニット。
【請求項３】
前記温度検知素子が接続される温度測定用配線を備えるフレキシブルプリント配線板をさらに備え、
前記フレキシブルプリント配線板は、前記支持部材及び前記可動部材に支持され、
前記温度検知素子は、前記フレキシブルプリント配線板における前記可動部材に支持された領域に、実装されることを特徴とする請求項２に記載のバッテリ監視ユニット。
【請求項４】
前記接触部材は、前記フレキシブルプリント配線板における前記温度検知素子が実装された面とは反対側の面に取り付けられた金属板であることを特徴とする請求項３に記載のバッテリ監視ユニット。
【請求項５】
前記可動部材を前記支持部材に対して前記露出部の前記露出量が小さくなる方向に移動させるように、前記可動部材を付勢する付勢部材をさらに備えることを特徴とする請求項１〜４のいずれか１項に記載のバッテリ監視ユニット。
【請求項６】
前記付勢部材が前記可動部材を付勢する方向は、前記接触部材を前記被接触部に押し付ける方向であることを特徴とする請求項５に記載のバッテリ監視ユニット。
【請求項７】
前記露出部材は、前記露出部として前記反対側の面から突出する突出部を有し、前記可動部材の前記支持部材に対する移動によって前記突出部の前記反対側の面からの突出量が変化することを特徴とする請求項１〜６のいずれか１項に記載のバッテリ監視ユニット。
【請求項８】
前記露出部材は、前記可動部材の前記支持部材に対する移動に合せて前記支持部材に対して移動可能に設けられていることを特徴とする請求項１〜７のいずれか１項に記載のバッテリ監視ユニット。
【請求項９】
前記露出部材は、前記可動部材と一体の部材であることを特徴とする請求項１〜７のいずれか１項に記載のバッテリ監視ユニット。
【発明の詳細な説明】
【技術分野】
【０００１】
本発明は、バッテリ監視ユニットの取り付け構造に関するものである。
【背景技術】
【０００２】
電気自動車などに搭載されるバッテリには、バッテリの電圧などを監視するためのバッテリ監視ユニットが取り付けられる（特許文献１、２）。バッテリ監視ユニットは、バッテリの各電極に接触させる接点部や、バッテリの測温部に接触させる温度検知部などの各種接触部を備えている。これら接触部がバッテリにおけるそれぞれの所望部位に確実に接触するように、バッテリ監視ユニットをバッテリに取り付ける必要がある。ここで、ユニットの構成によっては、バッテリに取り付けられた状態において各種接触部がユニットの裏に隠れて外から見えないため、目視での接触状態の確認が困難になる場合がある。
【先行技術文献】
【特許文献】
【０００３】
【特許文献１】特開２０１３−９７８９４号公報
【特許文献２】特開２０１６−４６１１号公報
【発明の概要】
【発明が解決しようとする課題】
【０００４】
本発明は上記の従来技術の課題を解決するためになされたもので、その目的とするところは、バッテリに対する取付状態を容易に確認することができるバッテリ監視ユニットを提供することにある。
【課題を解決するための手段】
【０００５】
上記目的を達成するために、本発明におけるバッテリ監視ユニットは、
バッテリの状態を監視するバッテリ監視ユニットであって、
バッテリに取り付けられる支持部材と、
前記支持部材における前記バッテリとの取付面に配置され、前記バッテリにおける所定の被接触部と接触する接触部材と、
前記接触部材を支持し、前記支持部材に対して移動可能に前記支持部材に支持された可動部材と、
前記支持部材における前記取付面とは反対側の面に露出する露出部を有する露出部材であって、前記接触部材が前記被接触部から力を受けることで前記可動部材が前記支持部材に対して移動すると、前記露出部の前記反対側の面における露出量が大きくなるように構成された露出部材と、
を備えることを特徴とする。
【０００６】
本発明によれば、バッテリに対するバッテリ監視ユニットの取付状態を容易に確認することができる。すなわち、バッテリ監視ユニットがバッテリに適正に取り付けられた場合には、接触部材が被接触部と接触し、被接触部から力を受けることになる。したがって、接触部材が被接触部から受ける力によって可動部材が支持部材に対して移動することになり、露出部材の露出部の露出量が大きくなる。これにより、支持部材におけるバッテリとの取付面に配置された接触部材の被接触部に対する接触状態を、該取付面とは反対側の面における露出部材の露出部の露出量によって把握することが可能となる。すなわち、バッテリ監視ユニットがバッテリに適正に取り付けられたか否かを、取付面における接触部材の被接触部に対する接触状態を直接確認することなく、確認することができる。
【０００７】
バッテリにおける測温部としての前記被接触部の温度を、前記接触部材を介して検知する温度検知素子をさらに備えてよい。
【０００８】
バッテリの温度を正確に検知するためには、バッテリの測温部に対する接触部材の接触状態が適正であることが必須となる温度検知素子を備えた構成において、本発明のバッテリ監視ユニットの構成は非常に好適である。
【０００９】
前記温度検知素子が接続される温度測定用配線を備えるフレキシブルプリント配線板をさらに備え、
前記フレキシブルプリント配線板は、前記支持部材及び前記可動部材に支持され、
前記温度検知素子は、前記フレキシブルプリント配線板における前記可動部材に支持された領域に、実装されるとよい。
【００１０】
フレキシブルプリント配線板を備えたバッテリ監視ユニットの構成では、支持部材におけるバッテリとの取付面が、平板帯状のフレキシブルプリント配線板の裏に隠れてしまい、支持部材がバッテリに取り付けられた状態において、その反対側からは見え難くなる。そのような構成に対して、取付面における接触部材の被接触部との接触状態を直接確認することなく、バッテリ監視ユニットがバッテリに適正に取り付けられたか否かを確認することが可能な本発明の構成は、非常に好適である。
【００１１】
前記接触部材は、前記フレキシブルプリント配線板における前記温度検知素子が実装された面とは反対側の面に取り付けられた金属板であるとよい。
【００１２】
接触部材の具体的な構成は特段限定されるものではないが、バッテリ監視ユニットにおけるバッテリの温度検知部に本発明の構成を適用する場合には、接触部材として、熱伝導性の良好な金属板が好適である。
【００１３】
前記可動部材を前記支持部材に対して前記露出部の前記露出量が小さくなる方向に移動させるように、前記可動部材を付勢する付勢部材をさらに備えるとよい。また、前記付勢部材が前記可動部材を付勢する方向は、前記接触部材を前記被接触部に押し付ける方向であるとよい。
【００１４】
かかる付勢部材を備えることで、接触部材が被接触部と接触していない状態においては、露出部材の露出部の露出量が小さくなる。したがって、支持部材がバッテリから取り外された後も、露出部材の露出部の露出量が大きくなった状態のままになってしまうことがない。仮に、支持部材がバッテリから取り外された後も露出部材の露出部の露出量が大きくなった状態のままで維持されてしまう場合、その後の支持部材のバッテリへの取り付けにおいて、支持部材がバッテリに適正に取り付けられたのか否かの判断ができなくなってしまうことが懸念される。本発明によれば、そのような事態を回避することができる。また、付勢部材の付勢力が作用する方向が、接触部材を被接触部に押し付ける方向となることで、両者の接触状態を安定させることができる。
【００１５】
前記露出部材は、前記露出部として前記反対側の面から突出する突出部を有し、前記可動部材の前記支持部材に対する移動によって前記突出部の前記反対側の面からの突出量が変化するとよい。
【００１６】
露出部材の露出部が、上記反対側の面から突出する構成とし、かつその突出量が可動部材の支持部材に対する移動によって変化する構成とすれば、露出部材の露出状態を取付面とは反対側における種々の方向から視認し易くなる。
【００１７】
前記露出部材は、前記可動部材の前記支持部材に対する移動に合せて前記支持部材に対して移動可能に設けられてもよいし、あるいは、前記可動部材と一体の部材であってもよい。
【００１８】
すなわち、露出部材は、可動部材とは別体としてもよいし、可動部材と一体としてもよい。別体の場合には、露出部材の設置位置と可動部材の設置位置とを任意に設定することが可能となり、装置構成の設計の自由度を高めることができる。また、一体の場合には、装置構成としてシンプルな構成とすることができ、小型化、軽量化において好適である。
【発明の効果】
【００１９】
以上説明したように、本発明により、バッテリに対する取付状態を容易に確認することができるバッテリ監視ユニットを提供することができる。
【図面の簡単な説明】
【００２０】
【図１】本発明の実施例におけるバッテリの平面図、及び本発明の実施例に係るバッテリ監視ユニットの背面図
【図２】本発明の実施例におけるバッテリの側面図
【図３】本発明の実施例に係るバッテリ監視ユニットにおけるサーミスタ支持機構の模式的断面図
【図４】本発明の実施例に係るバッテリ監視ユニットにおけるサーミスタ支持機構の模式的断面図
【発明を実施するための形態】
【００２１】
以下に図面を参照して、この発明を実施するための形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。
【００２２】
（実施例）
図１（Ａ）〜図４（Ｃ）を参照して、本発明の実施例に係るバッテリ監視ユニットについて説明する。
図１（Ａ）は、本発明の実施例におけるバッテリの概略構成を示す平面図（上方から見た図）である。
図１（Ｂ）は、本発明の実施例に係るバッテリ監視ユニットの概略構成を示す背面図（バッテリ監視ユニットにおけるバッテリとの取付面側を示す図）である。
図２（Ａ）及び図２（Ｂ）はそれぞれ、本発明の実施例におけるバッテリの概略構成を示す側面図であり、図２（Ａ）は、本実施例に係るバッテリ監視ユニットが取り外された状態、図２（Ｂ）は、本実施例に係るバッテリ監視ユニットが取り付けられた状態、をそれぞれ示している。
図３は、本発明の実施例に係るバッテリ監視ユニットにおけるサーミスタ支持機構の構成を示す模式的断面図であり、図１のＡ矢視断面に対応する図である。
図４（Ａ）〜図４（Ｃ）はそれぞれ、本発明の実施例に係るバッテリ監視ユニットにおけるサーミスタ支持機構の構成を示す模式的断面図であり、図３のＢ矢視断面に対応する図である。
図４（Ａ）は、接触部材がセルに接触する前の状態を示し、
図４（Ｂ）は、接触部材がバッテリの被接触部に接触したがバッテリ監視ユニットがバッテリに完全に装着されていない状態を示し、
図４（Ｃ）は、バッテリ監視ユニットがバッテリに完全に装着された状態を示している。
【００２３】
＜バッテリ監視ユニット＞
図１（Ａ）〜図２（Ｂ）を主に参照して、本発明の実施例に係るバッテリ監視ユニットの概略構成について説明する。
【００２４】
本発明の実施例に係るバッテリ監視ユニット１（以下、ユニット１）は、バッテリ２の電圧や温度などの各種状態を監視すべく、バッテリ２に取り付けられるユニットである。バッテリ２は、例えば、電気自動車（ＥＶ）やハイブリッド自動車（ＨＶ）などの車両における動力源として用いられるものであり、複数のセル２０により構成される。これら複数のセルは、正極２１と陰極２２とが隣り合うように配列されている。また、これら複数のセル２０は、隣り合う正極２１と陰極２２がバスバ１２を介して電気的に接続されることで直列に接続される。ユニット１が取得したバッテリ２の電圧や温度などの情報は、電圧や温度を監視する監視部３０などを備える制御部３へ送られる。これらユニット１と制御部３により、上述した車両におけるバッテリ監視装置が構成される。
【００２５】
ユニット１は、フレキシブルプリント配線板（以下、ＦＰＣ）１０と、複数のバスバ１１、１２と、複数のサーミスタ１３と、それらを支持する支持部材１４と、ＦＰＣ１０の端部に取り付けられたコネクタ１５と、を備える。バスバ１１は、直列接続されるセル２０における両端となる正極２１と負極２２にそれぞれ接続される。また、バスバ１２は、隣り合う正極２１と負極２２を電気的に接続するために用いられる。
【００２６】
支持部材１４は、キャリアとも称され、セル２０の配列方向に延びる長尺の樹脂成形部材であり、ユニット１の枠体としてユニット１の各種構成を支持し、各セル２０の電極２１、２２を覆うようにバッテリ２に取り付けられる。バッテリ２と支持部材１４には、不図示の係止部や嵌合部が設けられており、それらを互いに係合させ、ボルト等で締結することで、バッテリ２とユニット１が一体化される。支持部材１４は、バッテリ２への取り付け時の取り回し性を高める観点等から、長手方向に複数のユニットに分割して全体的に撓ませることが可能に構成される場合がある。
【００２７】
支持部材１４は、長手方向と直交する方向における両側に、長手方向に沿ってバスバ１１、１２がセル２０の配列間隔に合せて所定間隔を空けて配置され、それらの間に平板帯状のＦＰＣ１０が略長手方向に延びた構成となっている。そのため、支持部材１４は、一つのセル２０における正極２１と陰極２２の間隔よりも広い幅を有し、セル２０の配列方向に沿って延びる、長尺の略板状の外形に構成される。したがって、支持部材１４におけるバッテリ２との取付面（図１（Ｂ））は、支持部材１４がバッテリ２に取り付けられた状態において、外側からは見えない構成となる。また、セル２０の配列数が増えるほど支持部材１４はセル２０の配列方向にさらに長尺の構成となる。
【００２８】
ＦＰＣ１０は、銅箔などにより構成される複数本の配線が、接着剤層を介して、柔軟性を有するベースフィルムとカバーフィルムとで挟まれた構成を有しており、電圧監視用配線（不図示）と温度監視用配線１０３と、を備えている。電圧監視用配線は、一端がバスバ１１、１２に接続され、他端がコネクタ１５に接続されている。温度監視用配線１０３は、一端がサーミスタ１３に接続され、他端がコネクタ１５に接続されている。コネクタ１５は、制御部３の監視部３０に電気的に接続されている。
【００２９】
温度検知素子としてのサーミスタ１３は、セル２０の配列方向に長尺のバッテリ２の温度を長手方向の複数箇所で検知すべく、長手方向に間隔を空けて複数設けられている。具体的には、本実施例では、３つのサーミスタ１３ａ、１３ｂ、１３ｃがそれぞれ長手方向の両端と中央の３箇所に配置され、各所でバッテリ２の温度を測定するように構成されている。
【００３０】
サーミスタ１３ａは、バッテリ２の長手方向（セル２０の配列方向）一方側の一番端に配置されたセル２０ａの側面（上面）２０ｓ（図３、図４参照）をバッテリ２の端部測温部として配置される。サーミスタ１３ｂは、バッテリ２の長手方向他方側の一番端に配置されたセル２０ｂの側面２０ｓをバッテリ２の端部測温部として配置される。サーミスタ１３ｃは、バッテリ２の長手方向中央部に配置されたセル２０ｃの側面２０ｓをバッテリ２の中央測温部として配置される。
【００３１】
支持部材１４のバッテリ２との取付面には、接触部材４０ａ、４０ｂ、４０ｃが露出して設けられている。接触部材４０ａ、４０ｂ、４０ｃはそれぞれ、支持部材１４がバッテリ２に取り付けられた状態において、セル２０ａ、２０ｂ、２０ｃの側面２０ｓに接触するように構成されている。サーミスタ１３ａ、１３ｂ、１３ｃはそれぞれ、接触部材４０ａ、４０ｂ、４０ｃを介して、セル２０ａ、２０ｂ、２０ｃの温度を検知するように構成されている。すなわち、サーミスタ１３ａ、１３ｂ、１３ｃは、接触部材４０ａ、４０ｂ、４０ｃとともにユニット１における温度検知部を構成している。
【００３２】
＜本実施例の特徴的構成＞
本実施例に係るユニット１は、配線にＦＰＣ１０を用いており、上述したように、ユニット１においてバッテリ２と接触させなければならない各種接触部が、平板帯状のＦＰＣ１０の裏に隠れてしまう。そのため、かかる接触部がバッテリ２における所望の被接触部と確実に接触しているか否か、目視で確認することが難しい。特に、セル２０の配列方向に長尺に構成され、かつ樹脂等の可撓性を有する材料で構成された支持部材１４は、バッテリ２に対して部分的に浮いた状態で取り付けられてしまう場合があり、長手長さが長くなるほど顕著となる。そのような取付状態が形成されると、接触部の接触状態が不十分となってしまう可能性がある。そこで、本実施例に係るユニット１は、支持部材１４においてバッテリ２の被接触部に接触させる接触部を支持する構成として、次のような温度検知部の支持機構を備えている。
【００３３】
図３〜図４（Ｃ）を主に参照して、本実施例に係るユニット１における温度検知部の支持機構について説明する。
本実施例に係るユニット１の支持部材１４は、温度検知素子としてのサーミスタ１３を含む温度検知部を支持する機構として、支持部材１４（本体）に対して移動可能な可動部材としての可動支持部１４０が設けられている。支持部材１４において、３つのサーミスタ１３ａ、１３ｂ、１３ｃが配置されている３箇所は、それぞれ同じ支持機構で構成されている。
【００３４】
可動支持部１４０は、支持部材１４に設けられたガイド部１４ｇ１、１４ｇ２、１４ｇ３にガイドされる被ガイド部１４１ａ、１４１ｂ、１４１ｃを有している。可動支持部１４０は、接触部材４０がセル２０から力を受けると、被ガイド部１４１ａ、１４１ｂ、１４１ｃがガイド部１４ｇ１、１４ｇ２、１４ｇ３にガイドされることで、支持部材１４に対してセル２０の測温部（被接触部）としての側面（上面）２０ｓに垂直な方向に移動する。
【００３５】
被ガイド部１４１ａ、１４１ｂ、１４１ｃは、それぞれ可動支持部１４０においてセル２０の側面２０ｓに垂直な方向に延びた部位である。被ガイド部１４１ａ、１４１ｂ、１４１ｃのそれぞれの外面がガイド部１４ｇ１、１４ｇ２、１４ｇ３に対してセル２０の側面２０ｓと平行な方向に当接することで、同方向における支持部材１４に対する可動支持部１４０の移動が規制される。また、被ガイド部１４１ａ、１４１ｂ、１４１ｃの外面がガイド部１４ｇ１、１４ｇ２、１４ｇ３に対してセル２０の側面２０ｓに垂直な方向に摺動することで、同方向における支持部材１４に対する可動支持部１４０の移動がガイドされる。
【００３６】
被ガイド部１４１ａ、１４１ｂの先端には、それぞれ外向きに折り返されたような形状の係止部１４１ｓ１、１４１ｓ２が設けられており、ガイド部１４ｇ１、１４ｇ２に設けられたスリット１４ｓ１、１４ｓ２に係合している。スリット１４ｓ１、１４ｓ２は、セル２０の側面２０ｓに垂直な方向に延びており、その下端縁に係止部１４１ｓ１、１４１ｓ２が係合したときの支持部材１４に対する可動支持部１４０の相対位置が、可動支持部１４０の支持部材１４に対する離間方向における可動限界位置となる。
【００３７】
また、スリット１４１ｓ１、１４ｓ２の側面は、係止部１４１ｓ１、１４１ｓ２をセル２０の側面２０ｓに垂直な方向にガイドするとともに、同方向と直交する方向における係止部１４１ｓ１、１４１ｓ２の移動を規制する。スリット１４１ｓ１、１４ｓ２の側面が係止部１４１ｓ１、１４１ｓ２の移動を規制する方向は、ガイド部１４ｇ１、１４ｇ２が被ガイド部１４１ａ、１４１ｂの移動を規制する方向と直交する方向となっている。また、ガイド部１４ｇ３は、セル２０の側面２０ｓに垂直な方向に延びる溝形状を有しており、溝の底面及び溝の側面で被ガイド部１４１ｃの上記方向と直交する方向の移動を規制している。これら規制構成により、可動支持部１４０は、支持部材１４に対して、セル２０の側面２０ｓに垂直な方向にのみ移動可能に構成されている。
【００３８】
可動支持部１４０におけるセル２０の側面２０ｓとの対向面１４２には、発泡材料からなるフォームテープ４２を介して、ＦＰＣ１０におけるサーミスタ１３の実装部が取り付けられている。ＦＰＣ１０のサーミスタ１３の実装面とは反対側の面には、アルミニウム等の伝熱性の良好な金属板４０が貼り付けられている。この金属板４０を、接触部材として、セル２０の測温部としての側面２０ｓに接触させることで、サーミスタ１３は、金属板４０を介してセル２０の温度を検知する。可動支持部１４０の対向面１４２は、金属板４０をセル２０の側面２０ｓに押し付ける押圧面として機能する。フォームテープ４２は、セル２０の側面２０ｓに対する可動支持部１４０の追従性が高められるような厚みで設けられている。また、フォームテープ４２の表面には、サーミスタ１３を保護すべくコンフォーマルコーティングが施されている。
【００３９】
また、可動支持部１４０における対向面１４２とは反対側には、対向面１４２がセル２０の側面２０ｓと対向する方向とは逆方向（側面２０ｓに垂直な方向）に延びる突起部（突出部）１４３が設けられている。突起部１４３は、先端側が支持部材１４に設けられた開口１４ｈに挿通されており、可動支持部１４０の支持部材１４に対する移動によって、開口１４ｈからの突出量が変化するように構成されている。なお、突起部１４３も、挿通される開口１４ｈとの係合により、支持部材１４に対する可動部材１４０の移動をガイドする機能を有している。
【００４０】
また、可動支持部１４０と支持部材１４との間には、突起部１４３を囲むようにコイルバネ４１が取り付けられており、支持部材１４と可動支持部１４０との間に、両者を離間させる方向に作用するバネ力（付勢力）が付与される。可動支持部１４０と支持部材１４との間に、コイルバネ４１のバネ力以外の外力が何ら加わっていない状態では、可動支持部１４０は、コイルバネ４１のバネ力あるいは自重によって、支持部材１４に対して係止部１４１ｓ１、１４１ｓ２がスリット１４ｓ１、１４ｓ２の下端縁に係止する位置で維持される（図４（Ａ））。この相対位置において、突起部１４３の開口１４ｈからの突出量は最も小さくなる。
【００４１】
支持部材１４がバッテリ２に取り付けられる際に、接触部材４０がセル２０の側面２０ｓに接触し、側面２０ｓに対して押し付けられると、側面２０ｓからの反力が、コイルバネ４１のバネ力に抗する方向に作用する。さらに接触部材４０がセル２０の側面２０ｓに押し付けられると、すなわち、コイルバネ４１のバネ力よりも大きな力がさらに加えられ
ると、コイルバネ４１を圧縮させるように可動支持部１４０が支持部材１４に対して移動する（図４（Ｂ））。この移動により、突起部１４３の開口１４ｈからの突出量は大きくなる。
【００４２】
支持部材１４がバッテリ２に対して適正に取り付けられると（取り付けが完了すると）、可動支持部１４０と支持部材１４との間の相対移動もなくなり、このとき、突起部１４３の開口１４ｈからの突出量は最大となる（図４（Ｃ））。
【００４３】
＜本実施例の優れた点＞
本実施例によれば、突起部１４３の開口１４ｈからの突出量（露出量）を確認することで、接触部材４０とセル２０との接触状態、すなわち、支持部材１４がバッテリ２に対して適正に装着されているのか否かを知ることができる。
【００４４】
支持部材１４がバッテリ２に対して適正に装着されている状態とは、接触部材４０とセル２０とが適正に接触していること、すなわち、サーミスタ１３による温度検知を正確に行えるように接触部材４０とセル２０とが接触している状態である。例えば、接触部材４０とセル２０の側面２０ｓとが、正確な温度検知のために必要な所定の接触圧で互いに接触しているか否かで判断することができる。このような適正な接触状態が形成されると、支持部材１４のバッテリ２への装着完了後の突起部１４３の開口１４ｈからの突出量は、装着前の突出量から大きく増大することになる。
【００４５】
一方、接触部材４０とセル２０とが適正に接触していない場合には、接触部材４０に対して作用するセル２０からの反力が不十分となるため、可動支持部１４０の支持部材１４に対する相対移動のストロークが、適正な接触時よりも小さくなる。その結果、支持部材１４のバッテリ２への装着完了後の突起部１４３の開口１４ｈからの突出量は、装着完了前の突出量からあまり変化しない、あるいは変化がない状態となる。
【００４６】
したがって、支持部材１４のバッテリ２への装着の前後における突起部１４３の開口１４ｈからの突出量の変化を見ることで、接触部材４０とセル２０との接触状態が適正であるのか否かを知ることができる。本実施例によれば、接触部材４０とセル２０との接触状態を、直接目視で確認することをせずに、把握することができるので、バッテリ監視装置の組立工程のサイクルタイムの短縮を図ることが可能となる。
【００４７】
また、コイルバネ４１が、可動支持部１４０を、突起部１４３の開口１４ｈからの突出量が小さくなる方向に、支持部材１４に対して移動させるように付勢する。これにより、接触部材４０がセル２０と接触していない状態においては、突起部１４３の開口１４ｈからの突出量が小さくなる。したがって、支持部材１４がバッテリ２から取り外された後も、突起部１４３の開口１４ｈからの突出量が大きくなった状態のままになってしまうことがない。仮に、支持部材１４がバッテリ２から取り外された後も突起部１４３の開口１４ｈからの突出量が大きくなった状態が維持されてしまうような場合、その後の支持部材１４のバッテリ２への取り付けにおいて、支持部材１４がバッテリ２に適正に取り付けられたのか否かの判断ができなくなってしまう懸念があるが、本実施例によれば、そのような事態を回避することができる。また、コイルバネ４１の付勢力が作用する方向が、接触部材４０をセル２０に押し付ける方向となることで、両者の接触状態を安定させることができる。
【００４８】
なお、例えば、可動支持部１４０の支持部材１４に対するストロークをそれらの自重によって制御できるような場合には、コイルバネ４１は必ずしも必要な構成ではなく、これを省いた構成としてもよい。
【００４９】
＜その他＞
本実施例で示したバッテリ監視ユニットにおける温度検知部の支持機構の具体的な構成は、あくまで一例である。本実施例と少なくとも同様の効果を得られるものであれば、他の種々の構成を適宜することができる。
【００５０】
例えば、温度検知部を設ける箇所や数は、例えば、ユニット１の長手長さ（セル２０の配置数）に応じて、温度を検知すべき個所は種々考えられることから、装置構成に応じて適宜設定すればよい。
【００５１】
また、本実施例で示した可動支持部１４０の支持部材１４に対するガイド機構の構成は、あくまで一例であり、従来既知の種々のガイド構成を適宜採用してよい。
【００５２】
また、本実施例では、可動支持部１４０の突起部１４３を円柱状の構成としたが、かかる構成に限定されるものではなく、角柱や他の種々の形状を適宜採用することができる。
また、突起部１４３にマーキングや色分けを施して、突出量（露出量）の変化を視認し易くしてもよい。
【００５３】
また、本実施例では、突起部１４３を、可動支持部１４０の一部として構成したが、押圧面１４２や被ガイド部１４１からなる可動部材とは別体の露出部材（突出部材）として構成してもよい。押圧面１４２や被ガイド部１４１からなる可動部材の移動に連動して露出部材も移動するような駆動リンク機構を設けて、露出部材の配置を任意に設定できるように構成すれば、設計の自由度を高めることが可能である。突起部１４３を可動支持部１４０の一部として構成する場合には、装置構成としてシンプルな構成とすることができ、小型化、軽量化に有利である。
【００５４】
また、本実施例では、付勢部材としてコイルバネ４１を用いたが、例えば、トーションバネ等の他の付勢部材を用いてもよい。支持部材１４と可動支持部１４０との間における付勢部材の取り付け構成も、付勢部材の構成に応じて適宜変更してよい。
【００５５】
また、本実施例では、突起部１４３の支持部材１４表面からの突出量で、支持部材１４のバッテリ２に対する取付状態を視認可能に構成したが、かかる構成に限定されるものではない。例えば、可動支持部１４０の移動に連動して突起部１４３が支持部材１４の表面に沿った方向に移動するような駆動機構を設け、突起部１４３が、支持部材１４の表面に設けた窓から見える長さを露出量として変化させるように構成してもよい。すなわち、突起部１４３が支持部材１４表面の窓から見せる露出長さを変化させることで、突起部１４３を支持部材１４の表面から突出させない形で、支持部材１４の装着状態の目視確認を可能にすることができる。
【００５６】
また、本実施例では、バッテリ監視ユニットにおいて、バッテリに接触配置する必要がある構成として、温度検知部を例示したが、これに限定されるものではない。例えば、温度センサ以外の種々のセンサや、電気的な接点を取る必要がある部位において、本実施例と同様の可動支持構成を適用することができる。
【符号の説明】
【００５７】
１…バッテリ監視ユニット
１０…ＦＰＣ
１３…サーミスタ（温度検知素子）
１４…支持部材
１４０…可動支持部（可動部材）
１４１…被ガイド部
１４２…押圧面
１４３…突起部（露出部材、露出部、突出部）
２…バッテリ
２０…セル
２０ｓ…セル側面（被接触部、測温部）
４０…金属板（接触部）
４１…コイルバネ（付勢部材）
４２…フォームテープ
【図１】
2020087691.tif 000003
【図２】
2020087691.tif 000004
【図３】
2020087691.tif 000005
【図４】
2020087691.tif 000006